(57)【要約】【課題】簡便な工程で接着性と防水性を付与することが出来るフェノールフォーム断熱ボードの提供。【解決手段】フェノールフォームボードの片面或は両面に、ホットメルト層を介して合成樹脂製の不織布または織布を熱溶着することを特徴とした断熱ボードとする、或は、片面或は両面に合成樹脂製の不織布または織布が設けられたフェノールフォームボードの片面或は両面に、ホットメルト層を介して合成樹脂製の不織布または織布を熱溶着することを特徴とした断熱ボードとする。【選択図】図１
2005262539.tif 000002
【特許請求の範囲】
【請求項１】
フェノールフォームボードの片面或は両面に、ホットメルト層を介して合成樹脂製の不織布または織布を熱溶着することを特徴とする断熱ボード。
【請求項２】
合成樹脂製の不織布または織布が設けられたフェノールフォームボードの片面或は両面に、ホットメルト層を介して合成樹脂製の不織布または織布を熱溶着することを特徴とする断熱ボード。
【発明の詳細な説明】
【技術分野】
【０００１】
本発明は、建築その他の各種産業分野において幅広く使用される防水性及び断熱性に優れたボードに係り、特にコンクリート打込み面や基礎部の外断熱に使用できるフェノールフォーム断熱ボードに関するものである。
【背景技術】
【０００２】
従来、建築その他の各種産業分野において幅広く使用される断熱ボードとしては、一般的にフェノールフォーム等の樹脂発泡体の片面或は両面に、接着性、防水性等を有する面材を一体的に貼着して積層することによって構成されているものが知られている。
そして、このような断熱ボード等に関しては、例えば、特開昭６３−１６２２３０号公報に例示されている構造を持った断熱ボードが知られている。特開昭６３−１６２２３０公報はフェノールフォーム樹脂発泡体の片面或は両面に、例えば、ケイ酸カルシウム紙と防水性を有する合成樹脂フィルムを任意の順にラミネートしたものを面材として構成したものである。
【０００３】
一方、出願人は、当該技術の改良として、先に特願２００３−２８１７６６号を出願した。この特願２００３−２８１７６６号はフェノールフォーム層の片面或は両面にポリマーラテックスをコーティングした合成樹脂織布または不織布をポリマーラテックス面を外表面にして、積層構成し防水性を付与したものである。
【特許文献１】特開昭６３−１６２２３０号
【発明の開示】
【発明が解決しようとする課題】
【０００４】
しかしながら、上記構成の断熱ボードでは次のような問題点があった。即ち、特開昭６３−１６２２３０号公報における複合断熱材をコンクリート打ち込面に使用することを考えた場合、例えば、コンクリートと接着性が良好であるケイ酸カルシウム紙を外表面に、ポリエチレンフィルム、ポリ塩化ビニルフィルム等の合成樹脂フィルムをフェノールフォーム側にして積層する必要がある。合成樹脂フィルムをフェノールフォームの面材として使用することにより高い防水性に優れているが、該合成樹脂フィルムとフェノールフォームとの接着力は本質的に小さく、界面での剥離を起こしやすい。合成樹脂フィルム面にコロナ放電処理を施したとしても接着力はあまり改善されず、やはり界面剥離が発生しやすい。一方、シンプ加工によりフィルム面に小孔を設ければ接着力は改善され界面剥離の発生はなくなるが、防水性能が低下するので、コンクリート打込み時における水分や長時間にわたる大気中の湿気のフェノールフォーム層への透過が発生し断熱性能の低下が問題となる。
【０００５】
特願２００３−２８１７６６号においては合成樹脂織布または不織布とフェノールフォームとの接着力は良好であり、合成樹脂職布または不織布にポリマーラテックスをコーティングすることにより、防水性も向上するが、コーティングを乾燥硬化させる工程が発生し、乾燥のための養生場所やオープンタイム（養生時間）が必要となる。また、ラテックス塗工面を外表面にしていることから、長期保管時等に塗膜面同士がブロッキングを起こすことが懸念され、充分な管理と使用時の確認を要する。ブロッキングとはポリマーラテックス同士の粘着現象を指し、製品運搬時や保管時等に重ね合わせて置いた際の製品同士の融着により、施工時等に製品の分離が困難となり無理に製品の分離を行おうとした際に面材の剥離や塗膜の破損が発生する現象であり、当該製品の効果を発揮するためには耐ブロッキング性は重要な性能である。
【０００６】
本発明はフェノールフォーム断熱ボードにおいて、より簡便な工程で接着性と防水性を付与することが出来るようにした新規な技術を提供することを目的とするものである。
【課題を解決するための手段】
【０００７】
本発明に係る断熱ボードは、前述の従来の問題点を根本的に改善した発明であって、請求項１はフェノールフォームボードの片面或は両面に、ホットメルト層を介して合成樹脂製の不織布または織布を熱溶着することを特徴とする断熱ボードである。ホットメルト層を溶融してフェノールフォームボードと合成樹脂製の不織布または織布を接着することにより、波打ちが発生し難く、接着界面における浮き、しわ等の発生を防止出来、密着性が改善されるとともに接着強度に優れる。また、ホットメルトが膜を形成することにより充分な防水性、防食性が得られる。なおかつ、合成樹脂製の不織布または織布を外表面にしているため、保管時や運搬時のブロッキングを危惧する必要がない。
【０００８】
フェノールフォームは他のプラスチック系断熱材であるポリスチレン、ポリエチレン、ウレタン等に比較し耐熱性に優れており、熱溶着による断熱性等の実用性能への影響はほとんどなく、フェノールフォームで初めてホットメルト接着が可能となる。
本発明において用いられる合成樹脂製の不織布または織布は、合成樹脂繊維の織物および合成樹脂繊維を平らにからませたものである。ホットメルト層は予め面材に塗布しておくこと等により次工程での簡略化が図れ、大量生産が容易であるため、製造工程が簡素で低コストでの製品提供が可能である。
【０００９】
請求項２は合成樹脂製の不織布または織布が設けられたフェノールフォームボードの片面或は両面に、ホットメルト層を介して合成樹脂製の不織布または織布を熱溶着することを特徴とする断熱ボードである。この場合、公知であるフェノールフォーム両面に織布または不織布の合成樹脂面材が一体成型された断熱ボードを用いることができる。すでに面材が積層されていることにより、高い接着力が得られると同時に面材が２重構成されているため、施工時の引っかき傷等に対して補強効果がある。
織布または不織布の合成樹脂面材の成分に関しては特に制限はないが、経済性および耐熱性の点でポリエステルやポリプロピレンの織布または不織布が好適である。織布または不織布の目付に関しても同様であるが、取扱い時の強度、経済性の点で、１０〜１００ｇ／ｍ2が好ましい。
【００１０】
本発明のフェノールフォームとしては、フェノール樹脂に界面活性剤、発泡剤、触媒を添加して混合し、加熱発泡硬化させたものが使用できる。本発明のフェノールフォームの原料として用いられるフェノール樹脂については特に制約はないが、押し出し連続生産されるレゾール型フェノール樹脂に適している。界面活性剤としては非イオン系界面活性剤が通常使用される。例えば、ポリジメチルシロキサン等のシリコ−ン系界面活性剤、エチレンオキサイドとプロピレンオキサイドのブロック共重合体、アルキレンオキサイドとノニルフェノール、ドデシルフェノールのようなアルキルフェノールとの縮合物、アルキレンオキサイドとひまし油の縮合物、ポリオキシエチレン脂肪酸エステル等の脂肪酸エステル類等が用いられる。発泡剤としては、ジフルオロメタン（ＨＦＣ３２）、１，１，１，２−テトラフルオロエタン（ＨＦＣ１３４ａ）、１，１−ジフルオロエタン（ＨＦＣ１５２ａ）等のＨＦＣ類、１−クロロ−１，１ジフルオロエタン（ＨＣＦＣ１４２ｂ）等のＨＣＦＣ類、ノルマルブタン、イソブタン、ノルマルペンタン、シクロペンタン、イソペンタン等の炭化水素類、炭酸ガス等が用いられる。触媒としては無機酸、有機酸等の酸性化合物が用いられるが、トルエンスルホン酸、キシレンスルホン酸、フェノールスルホン酸等の芳香族スルホン酸類が好適に用いられる。硬化助剤として、レゾルシノール、クレゾール、ｏ−メチロールフェノール、ｐ−メチロールフェノール等を添加することもできる。更に、硬化触媒、硬化助剤をジエチレングリコール等の溶媒に希釈して用いることもできる。
【００１１】
ホットメルト層はフェノールフォームボードの片面のみ或は両面のどちらでも構わないが、フェノールフォームへの水分の透過を抑制するために、片面のみ水と接する場合は片面に、両面が水と接する場合は両面に設ける必要がある。例えば、基礎部の外断熱に用いる場合は、片面がコンクリート、もう一方の面が土壌に接するため、両面にホットメルト層を設け不織布または織布を熱溶着する必要がある。
【００１２】
以下、図面にて説明する。図１はフェノールフォームボード１の両面に、ホットメルト層３を介し、合成樹脂製の不織布または織布２を熱溶着した本発明の断熱ボードの例である。図２は両面に合成樹脂製の不織布または織布が設けられたフェノールフォームボード１の両面に、ホットメルト層３を介し、合成樹脂製の不織布または織布２を熱溶着した本発明の例である。図３は、片面に合成樹脂製の不織布または織布が設けられたフェノールフォームボード１に、ホットメルト層３を介して合成樹脂製の不織布または織布２を熱溶着した断熱ボードを型枠の内側に設置しておき、ホットメルト側にコンクリート４を打込み、コンクリートが硬化した後、型枠を取り外して、コンクリートと本発明の断熱ボードとを一体化させた状態を示す断面図である。面材７は軟質面材あるいは硬質面材の中から適宜選択される。もちろん合成樹脂製の不織布または織布２でも良い。
【００１３】
図４は、基礎部外断熱に用いる場合の断面を示している。両面に合成樹脂製の不織布または織布が設けられたフェノールフォームボード１に、ホットメルト層３を介して合成樹脂製の不織布または織布２を熱溶着した断熱ボードを、型枠の内側に設置しておき、コンクリート４を打込み、コンクリートが硬化した後、型枠を取り外して、コンクリート４と本発明の断熱ボードとを一体化させ、コンクリートと反対面の基礎部を埋め戻した状態であり、本発明断熱ボードの地盤面より上の見えがかりとなる部分は表面にモルタル６で左官仕上げした状態である。本発明の断熱ボードは、このようなコンクリート打込み面や基礎部の外断熱に好適に用いられる。
【発明の効果】
【００１４】
請求項１における断熱ボードは、フェノールフォームボードの片面或は両面に、ホットメルト層を介して合成樹脂製の不織布または織布を熱溶着することにより、波打ちが発生し難く、接着界面における浮き、しわ等の発生を防止出来、密着性が改善されるとともに接着強度に優れる。また、ホットメルトが膜を形成することにより充分な防水性、防食性が得られる。さらに、ホットメルト層は予め面材に塗布しておくこと等により次工程での簡略化が図れ、大量生産が容易であるため、製造工程が簡素で低コストでの製品提供が可能である。
また、合成樹脂製の不織布または織布の表面塗工処理を行わずコンクリートとの高い付着力を確保できるため、梱包時や施工時に危惧されるブロッキング問題を解消できる。
【００１５】
請求項２における断熱ボードは、請求項１で掲げた効果に加えて、公知であるフェノールフォームと織布または不織布の合成樹脂面材と一体成型された断熱ボードを用いることができ、また、すでに面材が積層されていることにより、高い接着力が得られると同時に面材が２重構成されているため、施工時の引っかき傷等に対して補強効果がある。
【産業上の利用可能性】
【００１６】
本発明の断熱ボードは、建築その他の各種産業分野において好適に利用できる。
【図面の簡単な説明】
【００１７】
【図１】フェノールフォームボードの両面に、ホットメルト層を介して合成樹脂製の不織布または織布を熱溶着した本発明断熱ボードの例。
【図２】両面に合成樹脂製の不織布または織布が設けられたフェノールフォームボードの両面に、ホットメルト層を介して合成樹脂製の不織布または織布を熱溶着した本発明断熱ボードの例。
【図３】本発明の断熱ボードをコンクリート打込み工法に適用した場合の断面図である。
【図４】本発明の断熱ボードをコンクリート打込み工法と基礎外断熱工法およびモルタル仕上げに適用した場合の断面図である。
【符号の説明】
【００１８】
１…フェノールフォーム
２…合成樹脂織布または不織布
３…ホットメルト層
４…コンクリート
５…土
６…モルタル
７…他の面材
【図１】
2005262539.tif 000003
【図２】
2005262539.tif 000004
【図３】
2005262539.tif 000005
【図４】
2005262539.tif 000006